(57)【要約】【課題】直火を使用しない加熱手段において、直火を使用しない加熱調理器に不慣れな使用者でも、直火式の加熱調理器を扱うのと同様な感覚で加熱出力設定の調整ができる加熱調理器を提供することを目的とする。【解決手段】加熱手段１の加熱出力レベルの設定を行う加熱出力設定手段３と、加熱出力設定手段３による設定値を表示する表示手段４とを備え、表示手段４は加熱出力設定レベルの強弱を炎の絵柄の大小で表示する。【選択図】図１
2007188762.tif 000002
【特許請求の範囲】
【請求項１】
直火を使用しない加熱手段と、前記加熱手段を制御する制御手段と、前記加熱手段の加熱出力レベルの設定を行う加熱出力設定手段と、前記加熱出力設定手段による設定値を表示する表示手段とを備え、前記表示手段は加熱出力設定レベルの強弱を炎の絵柄の大小で表示することを特徴とする加熱調理器。
【請求項２】
表示手段は、炎と鍋の絵柄を表示するものであって、鍋の絵柄デザインは予め用意された数種類の中から任意に選択できるようにしたことを特徴とする請求項１に記載の加熱調理器。
【請求項３】
制御手段は、加熱調理器の最大電力規制により加熱手段の加熱出力レベルを自動で変更した場合は、表示手段による炎の絵柄の大きさも変更させるようにした請求項１に記載の加熱調理器。
【請求項４】
加熱手段による被加熱物の温度を検知する温度検知手段を備え、制御手段は前記温度検知手段の検知温度に応じて表示手段による鍋の絵柄の色を変化させるようにしたことを特徴とする請求項１に記載の加熱調理器。
【請求項５】
炎による加熱をイメージする効果音を発生する音声出力手段を備え、前記音声出力手段は表示手段による炎の絵柄の大小に応じて、効果音の音量、音質を変化させるようにしたことを特徴とする請求項１に記載の加熱調理器。
【発明の詳細な説明】
【技術分野】
【０００１】
本発明は、直火を使用しない加熱調理器に関するものである。
【背景技術】
【０００２】
従来、この種の加熱調理器である誘導加熱調理器は、加熱コイルに高周波電流を流して、これにより発生する磁束により加熱コイルの上方に置かれたステンレスや鉄などの鍋に渦電流を発生させて、鍋そのものを発熱させることで調理物を加熱するものである。そのため、直火と違って加熱の強さは直接炎を見て認識することはできない（例えば、特許文献１参照）。
【０００３】
よって、加熱出力の設定及び確認は加熱出力のレベルメーター表示によることになる。図５に従来の加熱出力設定手段のレベルメーター１２を示す。弱から強の７段階に区分しており設定中のレベルの表示部を発光ダイオードで点灯させるようにしている。表３にはそれぞれの段階における設定加熱電力値を示しており、強の時が２０００Ｗ、弱の時が１３０Ｗでありその間を表３の通りに割り当てている。
【０００４】
【表３】
2007188762.tif 000003
【特許文献１】特開平９−１４８０５７号公報
【発明の開示】
【発明が解決しようとする課題】
【０００５】
しかしながら、前記従来の構成では、加熱出力の設定値をレベルメーターで見ることが可能であるので加熱出力の強弱は確認できるが、直火を使用するガス式の調理器に慣れた使用者にとっては、調理の火加減は炎を見ながら炎の大きさを基準にして調整するという体に染み付いた感覚が全く使えないので、加熱出力の調整に戸惑うことがあるという課題を有していた。
【０００６】
本発明は、前記従来の課題を解決するもので、直火を使用しない加熱手段において、加熱出力設定の強弱の表示を炎の絵柄の大小で表示させることで、直火を使用しない調理器に不慣れな使用者でも直火式の加熱調理器を扱うのと同様な感覚で加熱出力設定の調整ができる加熱調理器を提供することを目的とする。
【課題を解決するための手段】
【０００７】
前記従来の課題を解決するために、本発明の加熱調理器は、加熱手段の加熱出力レベルの設定を行う加熱出力設定手段と、前記加熱出力設定手段による設定値を表示する表示手段とを備え、前記表示手段は加熱出力設定レベルの強弱を炎の絵柄の大小で表示するようにしたものである。
【０００８】
これによって、炎の大きさを基準に火加減を調整するという直火の調理器と同様な感覚で炎の絵柄表示の大きさを見ながら加熱出力設定の調整を行うこととなる。
【発明の効果】
【０００９】
本発明の加熱調理器は、直火を使用しない加熱手段の加熱出力設定の強弱を炎の絵柄の大小にて表示するので、加熱の火力感が炎の絵柄の大きさで認識することができるので、直火を使用しない加熱調理器に不慣れな使用者であっても、直火を使用する加熱調理器と同様な感覚で加熱出力の調整を行うことができる。
【発明を実施するための最良の形態】
【００１０】
第１の発明は、直火を使用しない加熱手段と、前記加熱手段を制御する制御手段と、前記加熱手段の加熱出力レベルの設定を行う加熱出力設定手段と、前記加熱出力設定手段による設定値を表示する表示手段とを備え、前記表示手段は加熱出力設定レベルの強弱を炎の絵柄の大小で表示するようにしたことにより、調理の内容毎に炎の絵柄の大きさを見ながら加熱出力の調整ができるため、直火を使用しない加熱調理器に不慣れな使用者であっても、炎の大きさを基準に火加減を調整するという直火を使用する加熱調理器と同様な感覚で加熱出力設定の調整を行うことができる。
【００１１】
第２の発明は、特に、第１の発明において、表示手段は、炎と鍋の絵柄を表示するものであって、鍋の絵柄デザインは予め用意された数種類の中から任意に選択できるようにしたことにより、煮物や炒め物など調理の内容に合わせて煮込み鍋やフライパンなど実際に使用する鍋に似た絵柄を表示して、その絵柄に対して炎の絵柄を表示することができるため、表示に違和感がなくなり、調理中の火力感が認識し易くなる。
【００１２】
第３の発明は、特に、第１の発明において、制御手段は加熱調理器の最大電力規制により加熱手段の加熱出力レベルを自動で変更した場合は、表示手段による炎の絵柄の大きさも変更させるようにしたことにより、最大電力規制により加熱出力設定が自動的に低下された場合に表示手段の炎も自動的に小さく変更されるので、使用者に加熱出力設定が変更されたことを瞬時に認識させることができるので、調理に支障が出る場合は他の影響の少ない加熱手段の使用を止めて電力規制を解除するなどの手段を取る事ができる。
【００１３】
第４の発明は、特に、第１の発明において、加熱手段による被加熱物の温度を検知する温度検知手段を備え、制御手段は前記温度検知手段の検知温度に応じて、表示手段による鍋の絵柄の色を変化させるようにしたことにより、鍋の温度の変化を視覚的に認識することができるため、例えば鍋に調理物を入れ過ぎた時の温度低下が目で見て判るため、加熱出力設定を強くして温度を上昇させたり、湯沸かし時の沸騰が近いことが目で見て判るため、吹きこぼれを防ぐために加熱出力設定を弱くするなど非常に使い勝手が良くなる。
【００１４】
第５の発明は、特に、第１の発明において、炎による加熱をイメージする効果音を発生する音声出力手段を備え、前記音声出力手段は表示手段の炎の絵柄の大小に応じて、効果音の音量、音質を変化させるようにしたことにより、加熱出力設定の強弱が聴覚的にも認識できるため、ガス式の直火に慣れた使用者がガス式と同様の感覚で火力感を認識することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における加熱調理器の構成ブロック図、図２は本発明の第１の実施の形態における加熱調理器の本体上面図、図３は本発明の第１の実施の形態における加熱出力設定手段と表示手段の対応を示す図である。
【００１７】
図１、図２において、加熱調理器本体１１には３口の加熱手段が設置されており、加熱手段１は最大加熱出力２０００Ｗの左ＩＨコンロ１ａと、同じく２０００Ｗの右ＩＨコンロ１ｂと、同じく１２００Ｗのラジェントコンロ１ｃからなるものである。そして、それぞれ直火を使用しない加熱源である。左ＩＨコンロ１ａと右ＩＨコンロ１ｂは誘導加熱式のコンロであり、加熱コイルに高周波電流を流して磁束を発生させてこの磁束を介して上部に設置された鍋に渦電流を発生させ、鍋自体の発熱作用により加熱を行うものである。ラジェントコンロ１ｃは、ニクロム線の赤熱により鍋を加熱する電気ヒータである。加熱出力設定手段３は、左ＩＨコンロ１ａ用の加熱出力設定手段３ａと右ＩＨコンロ１ｂ用の加熱出力設定手段３ｂとラジェントコンロ１ｃ用の加熱出力設定手段３ｃからなるものであり、それぞれの加熱源近傍に配置してある。左ＩＨコンロ１ａ用加熱出力設定手段３ａの構成は、加熱開始や停止を行うための加熱入切キー７ａと加熱出力のレベル設定を行う火力ダウンキー８ａと火力アップキー９ａと、加熱出力のレベルを発光ダイオードにより７段階に点灯表示するレベルメーター１０ａにより構成している。他のコンロ用加熱出力設定手段も同じ構成である。
【００１８】
表示手段４は、ＴＦＴ液晶表示素子を使用したグラフィック画面であり、左ＩＨコンロ１ａ用に専用の左ＩＨコンロ用表示手段４ａを設けている。他のコンロ用も同様に近傍に設置している。
【００１９】
温度検知手段５は負特性サーミスタを使用した温度検知素子であり、各コンロの中央に設置されており鍋底の温度を検知するものである。
【００２０】
音声出力手段６は音声データを予め記憶させている音声ＩＣと音声ＩＣの出力信号を増幅するアンプと音声スピーカーから構成されたものである。
【００２１】
制御手段２はマイクロコンピュータと出力トランジスタからなるものであり、入力情報は加熱出力設定手段３と温度検知手段５の信号であり、出力は加熱手段１、表示手段４と音声出力手段６の動作を行う。
【００２２】
以上のように構成された加熱調理器について、以下その動作、作用を説明する。
【００２３】
まず、使用者が加熱調理器本体１１の左ＩＨコンロ１ａ部の上に調理物を入れた鍋を置いて加熱入切キー７ａを押すと、制御手段２は左ＩＨコンロ１ａの加熱コイルに初期の加熱電力値が１４５０Ｗになるように高周波電流を流して鍋を加熱する。レベルメーター１０ａはレベル弱〜５までを発光ダイオードで点灯させて加熱出力レベルが５であることを表示する。表示手段４ａは、加熱出力設定手段３ａで設定した左ＩＨコンロ１ａの加熱出力の設定状態を、鍋が炎により加熱されている様子をイメージした絵柄で表示するものである。図３に加熱出力設定手段３ａの加熱出力レベルに対応する表示手段４ａの絵柄を示す。加熱出力設定手段３ａの弱〜強の７段階の加熱電力の出力値は従来例の表３と同じ値である。その加熱電力の強弱を炎の大きさを変えることで火力の強さが一見してイメージできるように絵柄を作成して表示している。液晶に表示する炎は実際のガス式のコンロで加熱しているように表示する目的であるから、炎は適度に揺らぐように表示して実際のイメージに似る様にしている。
【００２４】
以上のように、本実施の形態においては、加熱出力設定手段３による設定値を表示する表示手段４を備え、表示手段４は加熱出力設定レベルの強弱を炎の絵柄の大小で表示するようにしたことにより、調理の内容毎に炎の絵柄の大きさを見ながら加熱出力の調整ができるため、直火を使用しない加熱調理器に不慣れな使用者であっても、炎の大きさを基準に火加減を調整するという直火を使用する加熱調理器と同様な感覚で加熱出力設定の調整を行うことができる。
【００２５】
また、本実施の形態では図４に示すように加熱される鍋の絵柄には両手鍋の他にフライパンとケトルの絵柄が用意されているため、使用者は実際の調理に使用する鍋の種類に合わせて絵柄を自由に選択することができる。鍋の形状を変えることで、実際の火力感がより認識しやすくなるため、調理物を焦げ付かたり、吹き零れを起こすような失敗を未然に防ぐことができる。
【００２６】
以上のように、本実施の形態においては、表示手段４は、炎と鍋の絵柄を表示するものであって、鍋の絵柄デザインは予め用意された数種類の中から任意に選択できるようにしたことにより、煮物や炒め物など調理の内容に合わせて両手鍋やフライパンなど実際に使用する鍋に似た絵柄を表示して、その絵柄に対して炎の絵柄を表示することができるため、表示に違和感がなくなり、調理中の火力感が認識し易くなる。
【００２７】
また、本実施の形態では表１に示すように、左ＩＨコンロ１ａと右ＩＨコンロ１ｂとラジェントコンロ１ｃが３口同時に使用されており、右ＩＨコンロ１ｂが加熱電力設定の「強」の２０００Ｗであった場合は、ラジェントコンロ１ｃのワットに関係なく左ＩＨコンロ１ａの加熱出力を「５」の１４５０Ｗに自動的に規制する構成になっている。これは、２５Ａ定格の電源ブレーカーの使用を想定しているためであり、使用時に電源遮断されないように総使用電流を約２３Ａに抑えるためである。例えば、左ＩＨコンロ１ａと右ＩＨコンロ１ｂを両方とも加熱出力「強」の２０００Ｗで使用中にラジェントコンロ１ｃを加熱出力「強」で使用開始すると、自動的に左ＩＨコンロ１ａの加熱出力を「５」の１４５０Ｗに落とすものである。この時、制御手段２はレベルメーター１０ａの表示を「強」から「５」に、表示手段４ａの炎の絵柄も加熱出力「５」に相当する大きさに変更するよう表示手段４を制御する。
【００２８】
【表１】
2007188762.tif 000004
【００２９】
以上のように、本実施の形態においては、制御手段２は加熱調理器の最大電力規制により、加熱手段１の加熱出力レベルを自動で低下した場合は、表示手段４による炎の絵柄も小さくするため、使用者に加熱出力設定が変更されたことを瞬時に認識させることができるので、調理に支障が出る場合は他の影響の少ない加熱手段の使用を止めて電力規制を解除するなどの手段を取る事ができる。
【００３０】
また、本実施の形態では温度検知手段５の検知温度に応じて、表示手段４に表示する鍋の色を変化させるようにしている。表２に示すように２０℃未満のときは青色、１２０℃以上のときは白色としてその間の色は温度がイメージできるように考慮した配色にしている。そのため、直火が見えないために加熱されていることを忘れて、高温の鍋を素手で触ってしまうような不注意を防ぐことができる。
【００３１】
【表２】
2007188762.tif 000005
【００３２】
以上のように、本実施の形態においては、加熱手段１による被加熱物の温度を検知する温度検知手段５を備え、制御手段２は温度検知手段５の検知温度に応じて、表示手段４による鍋の絵柄の色を変化させるようにしたことにより、鍋の温度の変化を視覚的に認識することができるため、不用意に高温の鍋を触ることを防ぐことができる。また鍋に調理物を入れ過ぎた時の温度低下が判るので、すぐに加熱出力設定を強くして温度を上げることができるなど非常に使い勝手が良くなる。
【００３３】
また、本実施の形態では音声出力手段６の構成手段である音声ＩＣに予めガス式コンロ使用時に発する燃焼音を録音している。そして、表示手段４の炎の大きさに応じてその音を音声スピーカーから出力するようにしている。
【００３４】
以上のように、本実施の形態においては、炎による加熱をイメージする効果音を発生する音声出力手段６を備えて表示手段４の炎の絵柄の大小に応じて、効果音の音量、音質を変化させるようにしたことにより、加熱出力設定の強弱が聴覚的にも認識できるため、ガス式の直火に慣れた使用者がガス式と同様の感覚で火力感を認識することができる。
【産業上の利用可能性】
【００３５】
以上のように、本発明にかかる加熱調理器は、直火を使用しない加熱手段における加熱出力レベルを視覚的に認識することができるので、電気湯沸かし器などの加熱器の用途にも適用できる。
【図面の簡単な説明】
【００３６】
【図１】本発明の実施の形態１における加熱調理器の構成ブロック図
【図２】本発明の実施の形態１における加熱調理器の本体上面図
【図３】本発明の実施の形態１における加熱調理器の加熱出力設定手段と表示手段の対応を示す図
【図４】本発明の実施の形態１における加熱調理器の表示手段の表示例を示す図
【図５】従来例の加熱調理器のレベルメーターを示す図
【符号の説明】
【００３７】
１  加熱手段
２  制御手段
３  加熱出力設定手段
４  表示手段
５  温度検知手段
６  音声出力手段
【図１】
2007188762.tif 000006
【図２】
2007188762.tif 000007
【図３】
2007188762.tif 000008
【図４】
2007188762.tif 000009
【図５】
2007188762.tif 000010